(57)【要約】【課題】金属物穿孔締め付け用の調整ネジの提供。【解決手段】本考案は金属物締め付け用の一種の調整ネジに関するものであり、ネジロッド、及び当該ネジロッドと互いにはまり合うドリル先端部を含む。そのうち当該ネジロッドは凹溝を設け、当該凹溝は当該ドリル先端部をちょうどはめ込み固定させるのに用い、同時に当該ドリル先端部に設けたネジ山第２部分に合わさる。当該ネジ山第２部分とネジ山第１部分は互いに繋がり、また当該ネジ山第１、２部分は同一のピッチをなしているため、締め付ける時、当該ドリル先端部が金属物を貫くと同時に、当該ネジ山第２部分を連動させて切り込み、続くネジ山第１部分が順調に入り込めるようになる。そのため、当該ネジ山第１部分が締め付け作業を行う過程でのネジ山の損傷を解消し、締め付け、固定という効果を容易に果たせるのである。当然、当該ネジロッドの調整を行うため、当該ドリル先端部を取り外し、締め付け工具を用い当該凹溝内に差し込んで締め付け調整が行え、使用上の利便性が向上する。【選択図】図４
0003127534.tif 000002
【実用新案登録請求の範囲】
【請求項１】
金属物穿孔締め付け用調整ネジにおいて、ネジロッド、及び当該ネジロッドと互いに連結するドリル先端部を含み、そのうち、当該ネジロッドとドリル先端部は異なる材質により接続し一体となり、また当該ネジロッドはロッド部本体、当該ロッド部本体に設けられたネジ山第１部分、及び当該ロッド部本体の両端にそれぞれ設けられたネジ頭と端面を具え、なお上記の当該端面は凹溝を設け、また、当該ドリル先端部は本体、当該本体に形成されるドリルヘッド、本体上の当該ドリルヘッドと反対方向に形成されるはめ込み用ブロック、及び本体上の当該ドリルヘッドとはめ込み用ブロックの間に設けられるネジ山第２部分を具え、上記の当該はめ込み用ブロックは、ちょうど当該凹溝内にはめ込み固定でき、ちょうど当該ネジ山第２部分と当該ネジ山第１部分が繋がり、当該ネジ山第１、２部分が等しいピッチをなすため、金属物にドリルで穿孔した後、当該ドリル先端部を取り外し、当該ネジロッドを回して締め、距離移動の調整ができることを特徴とする金属物穿孔締め付け用調整ネジ。
【請求項２】
当該凹溝の周壁は多角形平面により構成され、同時に当該はめ込み用ブロックは多角形柱状であり、当該はめ込み用ブロックを当該凹溝内にはめ込み固定できることを特徴とする請求項１に記載された金属物穿孔締め付け用調整ネジ。
【請求項３】
当該ネジ山第１部分の外径Ｄ１がネジ山第２部分の外径Ｄ２より大きくなることを特徴とする請求項１に記載された金属物穿孔締め付け用調整ネジ。
【考案の詳細な説明】
【技術分野】
【０００１】
本考案は一種のネジ、特に金属物穿孔締め付け用調整ネジに関するものである。
【背景技術】
【０００２】
図１を参照すること。周知のセルフドリリングねじ１は以下のものを有する：ネジ頭１１、当該ネジ頭１１から下向きに伸びるネジロッド１２、当該ネジロッド１２にらせん状に巻きついているネジ山１３、及び当該ネジロッド１２の自由端に一体となって設けられているドリルヘッド１４。そのため、締め付ける時、当該ドリルヘッド１４で金属物（図中に表示なし）に穴を開け、その後当該ネジ山１３が入り込むことを合わせ、セルフドリリングねじ１の締め付け、固定という効果が得られるものである。
【０００３】
当該セルフドリリングねじ１は金属物で直接螺設を行う効果があるが、実際の使用後、当該ドリルヘッド１４の材質は必ず硬い鋼性素材でなければならず、それでなければドリルで締めつけられないことが分ってくる。また当該ドリルヘッド１４は相対的に錆び付いて腐食しやすく、美観を損ねる。それ以外にも当該セルフドリリングねじ１は単一方向に締め付け、抜き取り作業が行えるのみである。そのため屋根用波板等の金属物での修理、交換に用いる時になると、当該セルフドリリングねじ１の抜き取り作業は、必ず屋根で行う取り外しになるので、作業者が受ける危険性が増加してしまう。
【０００４】
これらに鑑み、「ステンレス製タッピングボルト」の設計を研究開発した者がいる。図２を参照し、当該タッピングボルト２はネジ山２１１を有するネジロッド２１とドリル先端部２２を含む。そのうち、当該ネジロッド２１はステンレス素材で作られ、その後端はネジ頭２１２をなし、前端には凹溝２１３を設ける。また当該ドリル先端部２２は硬度が高い鋼性金属素材である。その前端はドリルヘッド２２１をなし、後端は多角形のはめ込み用ブロック２２２が一体となって形成されている。当該はめ込み用ブロック２２２は当該凹溝２１３内にぴったりとはめ込める。そのため、図３に示したように、使用時には当該ドリル先端部２２によりまず金属物３に穴３１を開け、当該ネジロッド２１のネジ山２１１が当該金属物３ に入り込み固定されるようにする。そして最後に必要に応じて当該ドリル先端部２２を取り外せば、防錆ができ美観を増す以外にも、当該ネジロッド２１の凹溝２１３も回転させて調整ができる。作業員は屋根板等での金属物３の補修、交換に活用する時、屋根の上で当該セルフドリリングねじ２の取り外し作業等を行うが、この改良により作業効果が確実に改善できるのである。
【０００５】
しかしながら、周知のステンレス製タッピングボルト２では、上記の効果促進を望んでいるものの、その構造設計を詳細に分析してみると、使用時には上記の効果を達成できないことが分かる。それは主に当該ドリル先端部２２が当該ネジロッド２１に直接はめ込まれ、はめ込まれた後にドリル先端部２２とネジロッド２１のネジ山２１１が接続する状態になる。しかし当該ドリル先端部２２と当該ネジロッド２１は、互いに分離されているものがはめ込み組み合わされる設計となっているため、実際に締め付け作業をおこなった後、ドリル先端部２２ が当該金属物３を切り込んで穿孔した後、当該ネジロッド２１のネジ山２１１が当該ドリル先端部２２に開けられた穴３１に沿って切り込めなくなることが分る。また反対に当該ネジ山２１１が切り込む時、当該ステンレス素材でできたネジ山２１１の切り込みが強引なためネジ山が損傷しやすくなる。これにより締め付け後脱落現象が起こる以外にも、さらに深刻な場合もし当該ネジ山２１１が軟らかい材質なので、当該ネジ山２１１が全然ネジ切りできず、これに続くネジ山２１１も回転、締めこみができないことになる。この問題は繰り返し試験を行っても結局解決できず、まさに改善が待たれている。
【考案の開示】
【考案が解決しようとする課題】
【０００６】
そのため、本考案の目的は、金属物穿孔締め付け用の一種の調整ネジを提供することであり、使用の利便性があり、金属物の穿孔締め付け時に締め付け、入り込み、固定が即座にできる効果を有する。
【０００７】
本考案である金属物穿孔締め付け用の調整ネジは、ネジ山第１部分を設けたネジロッド、及び当該ネジロッドに接続するドリル先端部を含む。そのうち当該ネジロッドは端面に凹溝を設け、当該凹溝によりちょうど当該ドリル先端部のはめ込み用ブロックがはめ込まれ固定できる。同時に当該ドリル先端部に設けたネジ山第２部分に合わさる。当該ネジ山第２部分とネジ山第１部分は互いに繋がる。そのため締め付け作業の時、当該ドリル先端部が金属物を貫く時に、当該ネジ山第２部分を連動させて切り込み、続くネジ山第１部分が順調に入り込めるようにする。そのため当該ネジ山第１部分の損傷が解消でき、更に締め付け、固定という効果が容易に果たせるのである。更に使用者は必要性に応じて当該ドリル先端部を取り外し、金属物内で直接締め付け工具を当該凹溝内に差し込むことができる。ネジ頭を通さず当該ネジロッドを回してネジを回転させ、締め付け位置の調整が行え、更に使用の利便性が向上しうるのである。
【課題を解決するための手段】
【０００８】
請求項１の考案は、金属物穿孔締め付け用調整ネジにおいて、ネジロッド、及び当該ネジロッドと互いに連結するドリル先端部を含み、そのうち、当該ネジロッドとドリル先端部は異なる材質により接続し一体となり、また当該ネジロッドはロッド部本体、当該ロッド部本体に設けられたネジ山第１部分、及び当該ロッド部本体の両端にそれぞれ設けられたネジ頭と端面を具え、なお上記の当該端面は凹溝を設け、また、当該ドリル先端部は本体、当該本体に形成されるドリルヘッド、本体上の当該ドリルヘッドと反対方向に形成されるはめ込み用ブロック、及び本体上の当該ドリルヘッドとはめ込み用ブロックの間に設けられるネジ山第２部分を具え、上記の当該はめ込み用ブロックは、ちょうど当該凹溝内にはめ込み固定でき、ちょうど当該ネジ山第２部分と当該ネジ山第１部分が繋がり、当該ネジ山第１、２部分が等しいピッチをなすため、金属物にドリルで穿孔した後、当該ドリル先端部を取り外し、当該ネジロッドを回して締め、距離移動の調整ができることを特徴とする金属物穿孔締め付け用調整ネジとしている。
請求項２の考案は、当該凹溝の周壁は多角形平面により構成され、同時に当該はめ込み用ブロックは多角形柱状であり、当該はめ込み用ブロックを当該凹溝内にはめ込み固定できることを特徴とする請求項１に記載された金属物穿孔締め付け用調整ネジとしている。
請求項３の考案は、当該ネジ山第１部分の外径Ｄ１がネジ山第２部分の外径Ｄ２より大きくなることを特徴とする請求項１に記載された金属物穿孔締め付け用調整ネジとしている。
【考案の効果】
【０００９】
本考案は金属物穿孔締め付け用調整ネジを提供することであり、使用の利便性があり、金属物の穿孔締め付け時に締め付け、入り込み、固定が即座にできる効果を有する。
【考案を実施するための最良の形態】
【００１０】
図４では、本実施例である金属物穿孔締め付け用調整ネジ４が記載されている。これにはネジロッド４１及び及び当該ネジロッド４１に接続するドリル先端部４２を含む。そのうち当該ネジロッド４１とドリル先端部４２は異なる材質が接続し一体となっているものである。本実施例記載の当該ネジロッド４１はステンレス素材であり、当該ネジロッド４１は以下のものを有する：ロッド部本体４１１、当該ロッド部本体４１１に設けられたネジ山第１部分４１２、及び当該ロッド部本体４１１両端にそれぞれ設けられたネジ頭４１３と端面４１４。上記当該端面４１４は凹溝４１５を設け、図中の六角形体に示されるように、当該凹溝４１５の周壁４１６は多角形平面により構成される。
【００１１】
上記の内容を続けて、当該ドリル先端部４２は硬度が高い炭素鋼素材（鉄等）で作られる。当該ドリル先端部４２は以下のものを有する：本体４２１、当該本体４２１に形成されるドリルヘッド４２２、本体４２１上の当該ドリルヘッド４２２と反対方向に形成されるはめ込み用ブロック４２３、及び本体４２１の当該ドリルヘッド４２２とはめ込み用ブロック４２３の間に位置するネジ山第２部分４２４。上記の当該はめ込み用ブロック４２３は図中の六角形に示されるように多角形柱状であり、当該はめ込み用ブロック４２３を当該凹溝４１５内にはめ込み固定できる。そのためちょうど当該ネジ山第２部分４２４と当該ネジ山第１部分４１２が繋がり、当該ネジ山第１、２部分４１２、４２４が等しいピッチをなす。また同時にネジ山第１部分４１２の外径Ｄ１はネジ山第２部分４２４の外径Ｄ２より大きくなる。
【００１２】
図５を参照すること。本実施例である調整ネジ４を屋根用波板等の金属物５に締め付けを行いたい時、まず当該ドリル先端部４２を当該ネジロッド４１にはめ込んで固定する。その後締め付け工具（図中に表示なし）により当該ネジ頭４１３を回転させ、当該ドリル先端部４２の回転を促し、当該金属物５にまず穴５１が開けられるようにする。その後当該ネジ山第２部分４２４を順調に入れ込み、当該穴５１においてネジ切りを行う。この時当該ドリル先端部４２は硬度が高い素材であるため、ネジ切り過程ではネジ山の損傷が起こりえない。また同時に締め込み後軌跡ができるため、当該ネジ山第１部分４１２は当該調整ネジ４が締め付けられ固定されるまで、順調に締め付けられ入り込む。また、この時の状況については、当該調整ネジ４の使用時間が増えてくると、多少のガタが発生するようになる。操作者はその時屋根に登って回して締める必要がなくなり、当該ドリル先端部４２を取り外し、当該ネジロッド４１の凹溝４１５が外部に露出させるだけでよくなる。その後締め付け工具６ （破線で示されるように）を当該凹溝４１５内に差し込む（即ち当該金属物５内に位置するようにする）のである。そのため操作者は当該ネジ頭４１３を通さず当該ネジロッド４１を回して回転させることができる。もし当該ネジロッド４１を回して緩め抜き取る場合か、または回して締め付ける方法で当該ネジ頭４１３と当該金属物５の間を更に密着させれば、水漏れ防止及び締め付け位置調整等の効果がなしえ、使用の利便性が更に向上するのである。
【００１３】
上記の内容をまとめると、本考案は交互にはまり合い固定されるネジロッドとドリル先端部により、同時に当該ドリル先端部がネジ山第２部分を設けている設計に対応させている。そのためドリルの穿孔過程で当該ネジ山第２部分と共に連動して切り込み、更に続くネジ山第１部分が順調に入り込めるようになる。当該ネジ山第１部分はこれにより締め付け作業を行う過程でネジ山の損傷がなくなり、締め付け、固定という効果が容易に果たせる。当然、当該ネジロッドの調整を行うため、当該ドリル先端部を取り外すこともでき、さらに締め付け工具を当該凹溝内に差し込んで締め付け調整も行える。使用の利便性は更に向上するのである。
【図面の簡単な説明】
【００１４】
【図１】周知のセルフドリリングねじの立体分解図である。
【図２】周知のステンレス製タッピングボルトの立体分解図である。
【図３】周知のステンレス製タッピングボルトの断面図である。
【図４】本考案の好ましい実施例を示した立体分解図である。
【図５】当該好ましい実施例の穿孔締め付け状態を示した表示図である。
【符号の説明】
【００１５】
１  セルフドリリングねじ
１１  ネジ頭
１２  ネジロッド
１３  ネジ山
１４  ドリルヘッド
２  タッピングボルト
２１  ネジロッド
２１１  ネジ山
２１２  ネジ頭
２１３  凹溝
２２  ドリル先端部
２２２  はめ込み用ブロック
３  金属物
３１  穴
４  調整ネジ
４１  ネジロッド
４２  ドリル先端部
４１１  ロッド部本体
４１２  ネジ山第１部分
４１３  ネジ頭
４１４  端面
４１５  凹槽
４１６  周壁
４２１  本体
４２２  ドリルヘッド
４２３  はめ込み用ブロック
４２４  ネジ山第２部分
５  金属物
５１  穴
Ｄ１、Ｄ２  外径
【図１】
0003127534.tif 000003
【図２】
0003127534.tif 000004
【図３】
0003127534.tif 000005
【図４】
0003127534.tif 000006
【図５】
0003127534.tif 000007